【手続補正書】
【提出日】平成20年1月31日(2008.1.31)
【手続補正１】
【補正対象書類名】特許請求の範囲
【補正対象項目名】全文
【補正方法】変更
【補正の内容】
【特許請求の範囲】
【請求項１】
決定されたトランスポートフォーマット組み合わせセット及び伝送優先順位から選択されるトランスポートフォーマット組み合わせは、各複数の上位層チャネルからデータユニットを伝送するために存在し、前記複数の上位層チャネルの少なくとも１つは、対応する最低サービス品質（ＱｏＳ）要求事項を設けており、前記トランスポートフォーマット組み合わせは、前記少なくとも１つの上位層チャネルに対する最低ＱｏＳを保障するように選択されることを特徴とする、複数の上位層チャネルから下位層チャネルにデータユニットを多重化することで伝送時間間隔内で複数のデータユニットを伝送するためのトランスポートフォーマット組み合わせを選択する方法。
【請求項２】
前記複数の上位層チャネルは論理チャネルであり、下位層チャネルはコード複合トランスポートチャネルであることを特徴とする請求項１に記載の方法。
【請求項３】
前記トランスポートフォーマット組み合わせは、前記複数の上位層チャネルの伝送優先順位を考慮する前に前記少なくとも１つの上位層チャネルの最低ＱｏＳ要求事項を考慮して選択されることを特徴とする請求項１に記載の方法。
【請求項４】
前記多重化は、下位層で行われることを特徴とする請求項１に記載の方法。
【請求項５】
前記多重化は、ＭＡＣ層で行われることを特徴とする請求項１に記載の方法。
【請求項６】
前記最低ＱｏＳは、最低ビットレート、保障ビットレート、最小伝送遅延の少なくとも１つを含むことを特徴とする請求項１に記載の方法。
【請求項７】
前記最低ＱｏＳは、無線リソース制御層で決定された前記トランスポートフォーマット組み合わせセットにより保障されることを特徴とする請求項１に記載の方法。
【請求項８】
ＭＡＣ層が前記トランスポートフォーマット組み合わせを選択することにより前記最低ＱｏＳが保障されることを特徴とする請求項１に記載の方法。
【請求項９】
前記トランスポートフォーマット組み合わせは、データユニットが少なくとも１つの論理チャネルで伝送される場合にのみ、前記複数の上位層チャネルの伝送優先順位を考慮する前に少なくとも１つの上位層チャネルの最低ＱｏＳ要求事項を考慮することにより選択されることを特徴とする請求項８に記載の方法。
【請求項１０】
前記複数の上位層チャネルと下位層チャネルは、ＵＴＲＡＮで実現されることを特徴とする請求項１に記載の方法。
【請求項１１】
前記複数の上位層チャネルと下位層チャネルは、移動端末で実現されることを特徴とする請求項１に記載の方法。
【請求項１２】
前記最低ＱｏＳは、ＵＴＲＡＮの無線リソース制御層で決定されたトランスポートフォーマット組み合わせセットにより保障されることを特徴とする請求項１１に記載の方法。
【請求項１３】
複数の上位層チャネルの少なくとも１つが対応する最低ＱｏＳ要求事項を設けているか否かを判断する段階と、
前記複数の上位層チャネルの少なくとも１つが対応する最低ＱｏＳ要求事項を設けている場合、前記少なくとも１つの上位層チャネルに対する最低ＱｏＳを保障するために、決定されたトランスポートフォーマット組み合わせセットからトランスポートフォーマット組み合わせを選択する段階と
を含むことを特徴とする、データユニットを伝送するためにそれぞれ異なる伝送優先順位を有する複数の上位層チャネルから下位層チャネルに前記データユニットを多重化して伝送時間間隔内で前記複数のデータユニットを伝送するための方法。
【請求項１４】
前記最低ＱｏＳは、無線リソース制御層で決定された前記トランスポートフォーマット組み合わせセットにより保障されることを特徴とする請求項１３に記載の方法。
【請求項１５】
前記最低ＱｏＳは、媒体アクセス制御（ＭＡＣ）層で前記トランスポートフォーマット組み合わせを選択することにより保障されることを特徴とする請求項１３に記載の方法。
【請求項１６】
対応する最低ＱｏＳ要求事項を設けている前記少なくとも１つの上位層チャネルで伝送されるデータユニットが存在するか否かを決定する段階をさらに含み、
前記トランスポートフォーマット組み合わせは、データユニットが少なくとも１つの論理チャネルで伝送される場合にのみ、複数の上位層チャネルの伝送優先順位を考慮する前に少なくとも１つの上位層チャネルの最低ＱｏＳ要求事項を考慮することにより選択されることを特徴とする請求項１５に記載の方法。
【請求項１７】
前記複数の上位層チャネルは論理チャネルであり、前記下位層チャネルはコード複合トランスポートチャネルであることを特徴とする請求項１３に記載の方法。
【請求項１８】
前記多重化は、前記下位層で行われることを特徴とする請求項１３に記載の方法。
【請求項１９】
前記多重化は、ＭＡＣ層で行われることを特徴とする請求項１３に記載の方法。
【請求項２０】
前記最低ＱｏＳは、最低ビットレート、保障ビットレート、最小伝送遅延の少なくとも１つを含むことを特徴とする請求項１３に記載の方法。
【請求項２１】
前記複数の上位層チャネルと下位層チャネルは、ＵＴＲＡＮで実現されることを特徴とする請求項１３に記載の方法。
【請求項２２】
前記複数の上位層チャネルと下位層チャネルは、移動端末で実現されることを特徴とする請求項１３に記載の方法。
【請求項２３】
前記最低ＱｏＳは、ＵＴＲＡＮの無線リソース制御層で決定されたトランスポートフォーマット組み合わせセットにより保障されることを特徴とする請求項２２に記載の方法。
【請求項２４】
ＲＦモジュールと、
アンテナと、
データ及び制御情報を保存するための保存手段と、
ユーザに情報を伝達するためのディスプレイと、
複数の上位層チャネルから下位層チャネルにデータユニットを多重化することにより伝送時間間隔内で複数のデータユニットを伝送するためのトランスポートフォーマット組み合わせを選択するプロセシングユニットとを含み、
決定されたトランスポートフォーマット組み合わせセットと伝送優先順位から選択されたトランスポートフォーマット組み合わせは、各複数の上位層チャネルからデータユニットを伝送するために存在し、複数の上位層チャネルのうち少なくとも１つは、対応する最低ＱｏＳ要求事項を設けており、少なくとも１つの上位層チャネルに対する最低ＱｏＳを保障するようにトランスポートフォーマット組み合わせが選択されることを特徴とする伝送時間間隔内で複数のデータユニットを伝送するための移動通信装置。
【請求項２５】
前記複数の上位層チャネルは論理チャネルであり、前記下位層チャネルはコード複合トランスポートチャネルであることを特徴とする請求項２４に記載の移動通信装置。
【請求項２６】
前記トランスポートフォーマット組み合わせは、前記複数の上位層チャネルの伝送優先順位を考慮する前に少なくとも１つの上位層チャネルの最低ＱｏＳ要求事項を考慮することにより選択されることを特徴とする請求項２４に記載の移動通信装置。
【請求項２７】
前記多重化は、前記下位層で行われることを特徴とする請求項２４に記載の移動通信装置。
【請求項２８】
前記多重化は、ＭＡＣ層で行われることを特徴とする請求項２４に記載の移動通信装置。
【請求項２９】
前記最低ＱｏＳは、最低ビットレート、保障ビットレート、最小伝送遅延の少なくとも１つを含むことを特徴とする請求項２４に記載の移動通信装置。
【請求項３０】
前記最低ＱｏＳは、無線リソース制御層で決定された前記トランスポートフォーマット組み合わせセットにより保障されることを特徴とする請求項２４に記載の移動通信装置。
【請求項３１】
前記最低ＱｏＳは、ＭＡＣ層で前記トランスポートフォーマット組み合わせを選択することにより保障されることを特徴とする請求項２４に記載の移動通信装置。
【請求項３２】
前記トランスポートフォーマット組み合わせは、データユニットが少なくとも１つの論理チャネルで伝送される場合にのみ、前記複数の上位層チャネルの伝送優先順位を考慮する前に前記少なくとも１つの上位層チャネルの最低ＱｏＳ要求事項を考慮することにより選択されることを特徴とする請求項３１に記載の移動通信装置。
【請求項３３】
第１チャネルでデータ及び制御情報インジケータを移動端末に伝送し、第２チャネルで制御情報を前記移動端末に伝送するための送信器と、
前記移動端末から情報を受信するための受信器と、
複数の上位層チャネルから下位層チャネルにデータユニットを多重化することにより伝送時間間隔内で複数のデータユニットを伝送するためのトランスポートフォーマット組み合わせを選択するための制御器とを含み、
決定されたトランスポートフォーマット組み合わせセットと伝送優先順位から選択された前記トランスポートフォーマット組み合わせは、各複数の上位層チャネルからデータユニットを伝送するために存在し、前記複数の上位層チャネルの少なくとも１つは、対応する最低サービス品質（ＱｏＳ）要求事項を設けており、前記少なくとも１つの上位層チャネルに対する最低ＱｏＳを保障するように前記トランスポートフォーマット組み合わせが選択されることを特徴とする移動通信端末にサービスを提供するためのネットワーク。
【請求項３４】
前記複数の上位層チャネルは論理チャネルであり、下位層チャネルはコード複合トランスポートチャネルであることを特徴とする請求項３３に記載のネットワーク。
【請求項３５】
前記トランスポートフォーマット組み合わせは、前記複数の上位層チャネルの伝送優先順位を考慮する前に前記少なくとも１つの上位層チャネルの最低ＱｏＳ要求事項を考慮して選択されることを特徴とする請求項３３に記載のネットワーク。
【請求項３６】
前記多重化は、前記下位層で行われることを特徴とする請求項３３に記載のネットワーク。
【請求項３７】
前記多重化は、ＭＡＣ層で行われることを特徴とする請求項３３に記載のネットワーク。
【請求項３８】
前記最低ＱｏＳは、最低ビットレート、保障ビットレート、最小伝送遅延の少なくとも１つを含むことを特徴とする請求項３３に記載のネットワーク。
【請求項３９】
前記最低ＱｏＳは、無線リソース制御層で決定された前記トランスポートフォーマット組み合わせセットにより保障されることを特徴とする請求項３３に記載のネットワーク。
【請求項４０】
前記最低ＱｏＳは、ＭＡＣ層で前記トランスポートフォーマット組み合わせを選択することにより保障されることを特徴とする請求項３３に記載のネットワーク。
【請求項４１】
前記トランスポートフォーマット組み合わせは、データユニットが前記少なくとも１つの論理チャネルで伝送される場合にのみ、前記複数の上位層チャネルの伝送優先順位を考慮する前に前記少なくとも１つの上位層チャネルの最低ＱｏＳ要求事項を考慮することにより選択されることを特徴とする請求項４０に記載のネットワーク。
【請求項４２】
上位層から下位層にデータユニットを伝送する方法であって、
該方法は、
各論理チャネルに対して伝送されるデータの最小量に関して、各論理チャネルに対して無線リソースを割り当てることと、
各論理チャネルに対して伝送されるデータの任意の追加量に関して、各論理チャネルに対して、該論理チャネルの優先順位の順に残りの無線リソースを割り当てることと、
該最少量のデータと該任意の追加量のデータとを伝送することと
を包含する、方法。
【請求項４３】
各論理チャネルに対して伝送されるデータの最小量は、最低品質サービス（ＱｏＳ）に関連付けられる、請求項４２に記載の方法。
【請求項４４】
前記最低ＱｏＳは、最低ビットレートと、保障ビットレートと、最小伝送遅延とのうちの少なくとも１つに関連する、請求項４３に記載の方法。
【請求項４５】
各論理チャネルに対して伝送されるデータの最小量は、無線リソース制御（ＲＲＣ）層から指示を受信することによって決定される、請求項４２に記載の方法。
【請求項４６】
前記下位層は、物理（ＰＨＹ）層である、請求項４２に記載の方法。
【請求項４７】
高い優先順位の論理チャネルの伝送されるデータの量は、低い優先順位の論理チャネルの伝送されるデータの量以上である、請求項４２に記載の方法。
【請求項４８】
各論理チャネルに対して伝送されるデータの最小量は、サービスに対する無線ベアラ（ＲＢ）に関連付けられる、請求項４２に記載の方法。
【請求項４９】
前記無線リソースは、伝送ブロック（ＴＢ）と、トランスポートフォーマット組み合わせ（ＴＦＣ）と、トランスポートフォーマット組み合わせのセット（ＴＦＣＳ）とのうちの少なくとも１つに関連する、請求項４２に記載の方法。
【請求項５０】
各論理チャネルに対して伝送されるデータの最小量に関して、各論理チャネルに対して無線リソースを割り当てるステップは、論理チャネルの優先順位の順に実行される、請求項４２に記載の方法。